(57)【要約】【課題】従来のインターネットのＷｅｂページは、指定されたページが表示されたままで、何もしなければいつまでも同じ画面で、情報量に乏しくディスプレーやファイルチェックに適しません。【解決手段】以上の課題を解決するために、ブラウザー表示言語のｈｔｍｌ言語とｊａｖａｓｃｒｉｐｔを使って先ずＷｅｂ画面を２分割あるいは３分割する基本のｈｔｍｌファイルを記述する。▲１▼第１フレームには、ｈｔｍｌ言語で視聴したいＷｅｂページのｕｒｌリストとそれぞれにハイパーリンクするように、そしてこのｈｔｍｌファイルが一定間隔で更新するようにする。▲２▼またｊａｖａｓｃｒｉｐｔで第２フレームに一定の間隔でＷｅｂページが自動スライドするようにｈｔｍｌファイルを記述。▲３▼第１フレームのｕｒｌリストをマウス操作（クリックなど）すると、該当Ｗｅｂページをウォッチできる。▲４▼３分割した時は、第３フレームに特記事項がテロップで流れるようにｈｔｍｌファイルに記述。▲５▼全てのファイルをサーバに置き、ブラウザーを使って基本ｈｔｍｌファイルを開けば実現します。【選択図】  図１、図２
2005353025.tif 000002
【特許請求の範囲】
【請求項１】
Ｗｅｂ端末の画面を３分割（右・左・下）してそれぞれのファイルを更新しながら、右側に視聴したい複数のｕｒｌリストを表示し、左側にそのリンク先情報を常に自動スライド。じっくり視聴したければ右側の該当ｕｒｌをクリックし、終われば頁を閉じる。下側には特記事項をテロップで表示する手法。
【発明の詳細な説明】
【技術分野】
【０００１】本発明は、Ｗｅｂ端末の表示方法
【背景技術】
【０００２】従来のＷｅｂ端末は、指定されたページが表示されたままで、何もしなければいつも同じ画面で情報量が乏しく、ディスプレーにはなりません。他に視聴したいページがあればマウスでクリックあるいはブラウズしなければならず、種々のファイルをチェックするには手間が掛かりすぎます。
【発明の開示】
【発明が解決しようとする課題】
【０００３】しかしながらこの新しい手法により、インターネットで視聴したい頁のｕｒｌリストを右側に書き、左側に一定間隔でリンク先の詳報なファイル（記事・画像・音声・映像など約４０程）が、更改しながら常にスライドする。じっくり視聴したい時は、右側の項目をクリックすれば時間に縛られず、終えれば頁を閉じます。また特記事項があれば、画面の下部にテロップで流れます。情報量が豊かで変化に富み、ディスプレーに適します。【０００４】スライド間隔を短くすれば、Ｗｅｂ上の約４０ファイルを次から次へとチェックしたり、時間に縛られずじっくりチェックもできます。
【課題を解決するための手段】
【０００５】以上の課題を解決するために、ブラウザー表示言語のｈｔｍｌ言語とｊａｖａｓｃｒｉｐｔを使って［図面］の図１を見ながら説明します。【０００６】・先ずパソコン画面をフレームで、３分割する基本のｈｔｍｌ（あるいはｈｔａ）ファイルを作成。３分割されたファイル名を、右ファイル・左ファイル・下ファイルとします。基本ｈｔｍｌ（ｈｔａ）ファイルと３分割されたｈｔｍｌファイルをサーバに置きます。
・右ファイルには視聴したい頁のｕｒｌリストと各ｕｒｌのリンク先ファイルを一定間隔で更新しながら順次スライドするプログラムをｈｔｍｌファイルに書く。また自らのファイルも一定間隔で更新するようにする。それによりｕｒｌリストに書かれた各リンク先ファイル（記事・画像・音声・映像など約４０程）が、左ファイルに常に順次自動スライドします。
・じっくり視聴したい時は、右ファイルに書かれたｕｒｌリストの該当項目をクリックすればリンク先ファイルが視聴できます。終えればファイルを閉じます。
・下ファイルには、特記事項と自らのファイルが更新するようにｈｔｍｌファイルに書き、テロップ流しをします。【０００７】スライド間隔を短くすれば、Ｗｅｂ上の約４０ファイルを次から次へとチェックしたり、時間に縛られずじっくりチェックもできます。
【発明の効果】
【０００８】街の中にある電光掲示板は、基本的には文字情報で内容が乏しいが、この発明ではパソコン画面に知らせたい種々の詳細な情報ファイル（記事、画像、音声、映像など約４０ほど）を、一定間隔で常に更新しながらスライド表示しますので、情報が豊富で飽きません。じっくり視聴したい時は、右側に書かれた該当項目をクリックし、終えれば頁を閉じます。ロビーやショールームでのディスプレーに最適です。
また特記事項があれば、画面の下部にテロップで流します。【０００９】スライド間隔を短くして、Ｗｅｂ上にある複数の最新ホームページをチェックができます。
【発明を実施するための最良の形態】
【００１０】現在最も関心あるニュースやイベントをこの手法でＷｅｂ端末に表示すると便利です。例えば「イラク情報」「日本人の大リーガー」「Ｗ杯サッカー」「オリンピック」「衆院選挙」など、約４０個ほどのｕｒｌを目次にして右側に表示。左側には、各項目のリンク先ファイルが２０秒間隔で常にスライドし、詳しく視聴したければ右側のｕｒｌ項目をクリックし、終えれば閉じます。
更に画面の下部にはニュース速報をテロップで流します。ロビーやショールームに設置すれば、電光掲示板のように何気なく目に入り、詳しい情報を知ることができます。
【実施形態の効果】
【００１１】インターネットのＷＥＢ端末として
・視聴したい情報が、常に順次更新してスライド表示するので何もせず視聴できる
・スライドしている時に情報の全般を掴み、詳細を知りたければクリックし、終えれば頁を閉じる
・スライド間隔を約１０秒にして、比較したいページなどをチェックできる
・疲れた時などインターネットの画面情報を視聴していられる
・電光掲示板より情報量（記事・画像・音声・映像など）が豊かである
【産業上の利用可能性】
【００１２】インターネットのＷＥＢ端末として、待合室やロビーにニュースのディスプレー・官公庁の広報・案内・説明などに使用すると便利です。記事・画像・音声・映像などで全般をスライド表示して、じっくり視聴したければ右側の該当項目をクリックすれば良い。またスライド間隔を短くすれば、Ｗｅｂ上のファイルチェックにも利用できます。
【図面の簡単な説明】
【００１３】
【図１】Ｗｅｂ端末の画面を３分割した時の構成ファイル名と機能、
【図１】
2005353025.tif 000003
【手続補正書】
【提出日】平成17年1月12日(2005.1.12)
【手続補正１】
【補正対象書類名】特許請求の範囲
【補正対象項目名】全文
【補正方法】変更
【補正の内容】
【特許請求の範囲】
【請求項１】
Ｈｔｍｌファイルの表示方法で、Ｗｅｂ画面を２分割し（図１参照）、第１フレームには視聴したいＷｅｂページのｕｒｌリストを表示し、第２フレームにはｕｒｌリストされた各Ｗｅｂページを一定間隔で自動スライドする。第１フレームに書かれたｕｒｌリストのファイルも、一定間隔で更新する。
ｕｒｌリストの中のＷｅｂページをウォッチしたければ、該当するｕｒｌリストをマウス操作（クリックなど）すれば、そのＷｅｂページが表示される。ページを閉じれば、自動スライドが継続するｈｔｍｌファイルの記述方法。
【請求項２】
［請求項１］はＷｅｂ画面を２分割したが、［請求項２］は更に画面を分割し３分割する。
（図２参照）第１フレーム、第２フレームは、上記の［請求項１］と同じだが、第３フレームには、特記事項をテロップ流しで表示するｈｔｍｌファイルの記述方法。
（注）ｈｔｍｌ：Ｈｙｐｅｒ  Ｔｅｘｔ  Ｍａｒｋｕｐ  Ｌａｎｇｕａｇｅの略
ｕｒｌ：Ｕｎｉｆｏｒｍ  Ｒｅｓｏｕｒｃｅ  Ｌｏｃａｔｏｒの略
インターネット上のサーバにある情報資源を特定するための表記
ｗｅｂ：Ｗｏｒｌｄ  Ｗｉｄｅ  Ｗｅｂを略したものでＷＷＷと同義
【手続補正２】
【補正対象書類名】明細書
【補正対象項目名】全文
【補正方法】変更
【補正の内容】
【発明の詳細な説明】
【技術分野】
【０００１】本発明はＨｔｍｌファイルの表示方法で、複数のＷｅｂページを自動スライドしたりウォッチしたり、特別情報があればテロップで流れるようにｈｔｍｌファイルを記述する手法。
【背景技術】
【０００２】  従来のＷｅｂ画面は、指定されたＷｅｂページが表示されたままで、何もしなければいつまでも同じ画面で変化せず情報量が乏しいです。他に視聴したいＷｅｂページがあればマウスでクリックしなければならず、多数のＷｅｂページを見るには面倒です。
【発明の開示】
【発明が解決しようとする課題】
【０００３】  しかしながらこの新しい手法により、ｈｔｍｌファイルでＷｅｂ画面を２分割あるいは３分割し（図１、図２参照）、視聴したいＷｅｂページのｕｒｌリストを第１フレームに記述。
第２フレームにはそのｕｒｌリストのＷｅｂページが一定間隔でスライドします。じっくり視聴したい時は、第１フレームの該当するｕｒｌリストをマウスで操作（クリックなど）すれば時間に縛られずウォッチできます。
閉じればスライドが継続します。Ｗｅｂ画面上に多数のＷｅｂページがスライドし、情報量が豊かでディスプレーに適します。更に特記事項があれば、第３フレームにテロップで流れます。
【課題を解決するための手段】
【０００４】  以上の課題を解決するために、ブラウザー表示言語のｈｔｍｌ言語とｊａｖａｓｃｒｉｐｔを使ってｈｔｍｌファイルを作成。［図面］の図１、図２を参照しながら説明します。【０００５】▲１▼先ずＷｅｂ画面をｈｔｍｌ言語のフレームで、２分割あるいは３分割する基本ｈｔｍｌファイルを作成し、それぞれのフレームを第１フレーム・第２フレーム・第３フレームと呼称。説明上、第１フレームが右側、第２フレームが左側、第３フレームが下側になります。（本来、位置は自由選択です）
▲２▼第１フレームには、ｈｔｍｌ言語で視聴したいＷｅｂページのｕｒｌリストとそれぞれにハイパーリンクするように、そしてこのｈｔｍｌファイルが一定間隔で更新するように記述。
▲３▼ｊａｖａｓｃｒｉｐｔでｕｒｌリストの各Ｗｅｂページが、一定間隔で第２フレームにスライドするように記述。
▲４▼３分割した時には、ｈｔｍｌ言語で第３フレームに特記事項が、テロップで流れるようにｈｔｍｌファイルを記述。
▲５▼全てのファイルをサーバに置き、ブラウザーを使って基本ｈｔｍｌファイルを開けば実現します。
【発明の効果】
【０００６】  街の中にある電光掲示板は、基本的には文字情報で内容が乏しいが、この発明ではＷｅｂ画面に知らせたい種々の詳細な情報ファイル（記事、画像、音声、映像などのＷｅｂページ複数）を、一定間隔で常に更新しながらスライド表示するので、情報量が豊富で飽きません。じっくり視聴したい時は、Ｗｅｂページのｕｒｌリストをマウス操作（クリックなど）すればウォッチできます。
ページを閉じれば、自動スライドが継続します。また特記事項があれば、画面の下部にテロップで流れます。【０００７】  スライド間隔を短くして、Ｗｅｂ上にある多数のＷｅｂページをチェックできます。
【発明を実施するための最良の形態】
【０００８】  現在最も関心あるニュースやイベントをこの手法でＷｅｂ画面に表示すると沢山の情報が流れ便利です。例えば多数のＷｅｂページのｕｒｌリストを目次にして、各Ｗｅｂページが一定間隔で常にスライドし、ウォッチしたければｕｒｌリストをマウス操作（クリックなど）すれば無制限に視聴できます。閉じれば自動スライドが継続します。
更に画面の下部にはニュース速報をテロップで流します。
ロビーやショールームに設置すれば、電光掲示板のように何気なく目に入り、詳しい情報も知ることができます。
【実施形態の効果】
【０００９】インターネットのＷｅｂ端末として
▲１▼視聴したいＷｅｂページが、常に順次更新してスライド表示するので何もせず視聴できる
▲２▼スライドしている時に情報の全般を掴み、詳細を知りたければｕｒｌリストをマウス操作（クリックなど）し、終えれば頁を閉じ、自動スライドが継続します
▲３▼スライド間隔を約１０秒にして、比較したい多数のＷｅｂページをクリックせずにチェックできる。
▲４▼電光掲示板より情報量（記事・画像・音声・映像など）が豊かである
【産業上の利用可能性】
【００１０】  インターネットのＷｅｂ端末として、図書館の新聞閲覧室やホテルや空港のロビーにニュースのディスプレーや案内・説明などに使用すると便利です。またスライド間隔を短くすれば、Ｗｅｂ上で多数のＷｅｂページがチェックできます。
【図面の簡単な説明】
【００１１】
【図１】は、ｈｔｍｌファイルでＷｅｂ画面を２分割した時の構成と機能、
【図２】は、ｈｔｍｌファイルでＷｅｂ画面を３分割した時の構成と機能
【手続補正３】
【補正対象書類名】図面
【補正対象項目名】全図
【補正方法】変更
【補正の内容】
【図１】
2005353025.tif 000004
【図２】
2005353025.tif 000005